(57)【要約】【課題】排紙トレイに印刷物が放置されていることを確実に印刷者に通知すること。【解決手段】印刷物監視サーバ１０１は、印刷装置１０３から通知される印刷完了通知に含まれる印刷装置１０３が印刷した印刷物に対応する識別情報と、印刷指示を行ったユーザを特定可能なユーザ特定情報とを関連付けた情報を監視情報記憶部２０６に記憶しておく。そして、印刷物監視サーバ１０１の印刷監視部２０７は、識別情報検出装置１０２から通知される、印刷装置１０３で印刷されユーザによりかざされた状態の印刷物から読み取られた識別情報を受け取り、印刷装置１０３から印刷完了通知を受けた印刷物に付加された識別情報のうち、識別情報検出装置１０２からの通知がない識別情報を特定し、特定された識別情報に対応するユーザの印刷端末１００に、当該特定された識別情報に対応する印刷物が未取得である旨の警告を放置印刷物通知部２０９から通知するように制御する。【選択図】図２
2010146265.tif 000002
【特許請求の範囲】
【請求項１】
印刷装置において出力する印刷データを生成する情報処理装置と、前記情報処理装置によって生成された印刷データの印刷を実行する印刷装置と、識別情報検出装置と、印刷物監視装置とを有する印刷システムであって、
前記情報処理装置は、
前記印刷データを識別する識別情報が付加された印刷データと、該印刷データの印刷指示を行ったユーザを特定可能なユーザ特定情報とを前記印刷装置に送信する送信手段を有するものであり、
前記印刷装置は、
前記送信手段によって情報処理装置から送信された印刷データに基づく印刷処理を行って印刷物を排紙部に排出する印刷手段と、
前記印刷手段によって印刷された印刷物の印刷完了通知として該印刷物に対応する前記識別情報と前記ユーザ特定情報とを含む情報を前記印刷物監視装置に送信する印刷完了通知手段とを有するものであり、
前記識別情報検出装置は、
前記印刷手段によって印刷された印刷物に付加された識別情報がユーザによりかざされた場合、該印刷物に付加されている識別情報を読み取る識別情報読取手段と、
前記識別情報読取手段によって読み取られた識別情報を前記印刷物監視装置に通知する検出済み識別情報通知手段とを有するものであり、
前記印刷物監視装置は、
前記印刷完了通知手段によって印刷装置から印刷完了通知を受けた前記印刷物に付加された識別情報のうち、前記検出済み識別情報通知手段による識別情報検出装置からの通知がない識別情報を特定する特定手段と、
前記特定手段によって特定された識別情報に対応するユーザの情報処理装置に、当該特定された識別情報に対応する印刷物が未取得である旨の警告を通知する警告通知手段と、
を有することを特徴とする印刷システム。
【請求項２】
前記警告通知手段は、前記警告の通知を所定回数行った後も、前記特定手段によって特定された識別情報に対応する印刷物が未取得である旨の警告を、前記印刷データに含まれる予め設定された管理者の通知先に通知することを特徴とする請求項１に記載の印刷システム。
【請求項３】
前記警告通知手段は、前記検出済み識別情報通知手段によって識別情報読取装置から送信された識別情報を削除することを特徴とする請求項１又は２に記載の印刷システム。
【請求項４】
前記情報処理装置は、
印刷データに基づいて印刷される印刷物を前記印刷物監視装置により監視させる監視印刷設定が可能な設定手段を更に有するものであり、
前記送信手段は、前記設定手段によって前記監視印刷設定がなされた、該印刷データを識別する識別情報が付加された印刷データと該印刷データの印刷指示を行ったユーザを特定可能なユーザ特定情報とを前記印刷装置に送信するものであり、
前記印刷完了通知手段は、前記設定手段によって監視印刷設定がなされた印刷データに基づく印刷処理を完了した場合に、前記印刷完了通知を前記印刷物監視装置に送信する、
ことを特徴とする請求項１乃至３のいずれか１項に記載の印刷システム。
【請求項５】
前記印刷装置は、ユーザによる操作指示を受け付ける受付手段とを更に有し、
前記設定手段は、印刷データに基づく印刷処理を前記監視印刷によって実行しない場合、前記受付手段による操作指示に基づいて印刷処理を実行する立会印刷設定を行うことを特徴とする請求項４に記載の印刷システム。
【請求項６】
前記印刷装置に、前記識別情報検出装置が接続されており、
前記印刷装置は、前記印刷物監視装置を含むことを特徴とする請求項１乃至５のいずれか１項に記載の印刷システム。
【請求項７】
情報処理装置、印刷装置、及び識別情報検出装置と通信可能な印刷物監視装置であって、
前記印刷装置から印刷完了通知として印刷物に対応する前記識別情報と印刷指示を行ったユーザを特定可能なユーザ特定情報とを含む情報を受信する印刷完了通知受信手段と、
前記印刷装置で印刷された印刷物の識別情報がユーザにより前記識別情報検出装置にかざされた場合、前記識別情報検出装置から通知される識別情報を受け取る受取手段と、
前記印刷装置から印刷完了通知を受けた前記印刷物に付加された識別情報のうち、前記受取手段による識別情報検出装置からの通知がない識別情報を特定する特定手段と、
前記特定手段によって特定された識別情報に対応するユーザの情報処理装置に、当該特定された識別情報に対応する印刷物が未取得である旨の警告を通知する警告通知手段と、
を有することを特徴とする印刷物監視装置。
【請求項８】
印刷装置において出力する印刷データを生成する情報処理装置と、前記情報処理装置によって生成された印刷データの印刷を実行する印刷装置と、識別情報検出装置と、印刷物監視装置とを有する印刷システムにおける印刷物監視方法であって、
前記情報処理装置の送信手段が、前記印刷データを識別する識別情報が付加された印刷データと、該印刷データの印刷指示を行ったユーザを特定可能なユーザ特定情報とを前記印刷装置に送信する送信ステップと、
前記印刷装置の印刷手段が、前記送信手段によって情報処理装置から送信された印刷データに基づく印刷処理を行って印刷物を排紙部に排出する印刷ステップと、
前記印刷装置の印刷完了通知手段が、前記印刷手段によって印刷された印刷物の印刷完了通知として該印刷物に対応する前記識別情報と前記ユーザ特定情報とを含む情報を前記印刷物監視装置に送信する印刷完了通知ステップと、
前記識別情報検出装置の識別情報読取手段が、前記印刷手段によって印刷された印刷物に付加された識別情報がユーザによりかざされた場合、該印刷物に付加されている識別情報を読み取る識別情報読取ステップと、
前記識別情報検出装置の識別情報通知手段が、前記識別情報読取手段によって読み取られた識別情報を前記印刷物監視装置に通知する検出済み識別情報通知ステップと、
前記印刷物監視装置の特定手段が、前記印刷完了通知手段によって印刷装置から印刷完了通知を受けた前記印刷物に付加された識別情報のうち、前記検出済み識別情報通知手段による識別情報検出装置からの通知がない識別情報を特定する特定ステップと、
前記印刷物監視装置の警告通知手段が、前記特定手段によって特定された識別情報に対応するユーザの情報処理装置に、当該特定された識別情報に対応する印刷物が未取得である旨の警告を通知する警告通知ステップと、
を有することを特徴とする印刷物監視方法。
【請求項９】
請求項８に記載された印刷物監視方法をコンピュータに実行させるためのプログラム。
【請求項１０】
請求項９に記載されたプログラムを記録したコンピュータ読み取り可能な記録媒体。
【発明の詳細な説明】
【技術分野】
【０００１】
本発明は、印刷物の放置・取り忘れを防止するための印刷物監視制御に関するものである。
【背景技術】
【０００２】
印刷装置として、ユーザ端末（パーソナルコンピュータ等）から印刷データを受信し、その印刷データを所定の用紙に出力するプリンタが知られている。ネットワークを利用して印刷データを端末からプリンタに送信することにより、端末から離れた場所にあるプリンタから印刷データを出力できる。
【０００３】
端末からプリンタへの物理的な距離が離れると、出力された印刷物を取り忘れるケースがある。
【０００４】
昨今の社会活動や企業活動においては、同一の組織内であっても情報統制の必要性が高まっている。情報の開示範囲が今まで以上に厳密に管理されるようになり、身近な範囲での情報漏えいの防止に努める必要性が高まってきた。物理的に空間は共有していながら、情報の開示範囲が異なるグループに対し情報が漏えいしないようにすることも重要な課題となってきている。身近な情報漏洩経路として、上述したように、出力された印刷物を取り忘れるケースがある。
【０００５】
これに対し、印刷物を排紙するトレイをユーザに対して割り当てることにより、取り忘れを防止する技術が知られている。この技術では、トレイ上に印刷物が存在しているかをプリンタや端末側の情報表示インターフェースに情報を表示することによって、印刷物の取り忘れを通知する。
【０００６】
また、ユーザに割り当てられたトレイをトレイに設置された印刷物検出装置により監視する機能を持ったプリンタが知られている。
【０００７】
印刷物が一定時間トレイ上に放置され、印刷物監視装置によって検出された場合、そのトレイに割り当てられたユーザに電子メールを送付することによって、特定ユーザに対して通知を行う技術が知られている。
【０００８】
さらに、特許文献１には、用紙に印刷ジョブを特定可能な識別情報を形成して、排出トレイに出力し、この、排出トレイ上の用紙から識別情報を読み取り、該印刷ジョブを送信したＰＣの情報送信先を検索した後に、検索した送信先に対して用紙の取り忘れを示す情報を送信することにより、排出トレイに放置された用紙の取り忘れを示す情報を、印刷指示をしたユーザに対して通知する技術が記載されている。
【特許文献１】特開２００４−１９５８４５号公報
【発明の開示】
【発明が解決しようとする課題】
【０００９】
しかし、上述したような印刷物を排紙するトレイをユーザに対して割り当てる技術では、トレイの数の制限を受け、トレイ数以上のユーザに対してこの方法を行うことができなかった。
【００１０】
また、特許文献１の方法では、排出トレイに排出された印刷物の物理的状況によっては、識別情報を読み取ることができない。例えば、ある印刷物が排出トレイに放置された状態で、その印刷物の上に新たな印刷物が排出された場合、先に排出された印刷物からは識別情報を読み取ることができず、十分な取り忘れ防止の制御を行うことができなかった。
【００１１】
本発明は、上記の課題点を解決するためになされたもので、本発明の目的は、排紙トレイに印刷物が放置されていることを確実に印刷者に通知することができる仕組を提供することである。
【課題を解決するための手段】
【００１２】
本発明は、印刷装置において出力する印刷データを生成する情報処理装置と、前記情報処理装置によって生成された印刷データの印刷を実行する印刷装置と、識別情報検出装置と、印刷物監視装置とを有する印刷システムであって、前記情報処理装置は、前記印刷データを識別する識別情報が付加された印刷データと、該印刷データの印刷指示を行ったユーザを特定可能なユーザ特定情報とを前記印刷装置に送信する送信手段を有するものであり、前記印刷装置は、前記送信手段によって情報処理装置から送信された印刷データに基づく印刷処理を行って印刷物を排紙部に排出する印刷手段と、前記印刷手段によって印刷された印刷物の印刷完了通知として該印刷物に対応する前記識別情報及び前記ユーザ特定情報を含む情報を前記印刷物監視装置に送信する印刷完了通知手段とを有するものであり、前記識別情報検出装置は、前記印刷手段によって印刷された印刷物に付加された識別情報がユーザによりかざされた場合、該印刷物に付加されている識別情報を読み取る識別情報読取手段と、前記識別情報読取手段によって読み取られた識別情報を前記印刷物監視装置に通知する検出済み識別情報通知手段とを有するものであり、前記印刷物監視装置は、前記印刷完了通知手段によって印刷装置から印刷完了通知を受けた前記印刷物に付加された識別情報のうち、前記検出済み識別情報通知手段による識別情報検出装置からの通知がない識別情報を特定する特定手段と、前記特定手段によって特定された識別情報に対応するユーザの情報処理装置に、当該特定された識別情報に対応する印刷物が未取得である旨の警告を通知する警告通知手段とを有することを特徴とする。
【発明の効果】
【００１３】
本発明によれば、排紙トレイに印刷物が放置されていることを確実に印刷者に通知することができる。結果として、印刷物が長時間放置されることによるセキュリティリスクを軽減することができる。
【発明を実施するための最良の形態】
【００１４】
〔第１実施形態〕
図１は、本発明の一実施形態を示す印刷システムの構成を示すシステム構成図である。
【００１５】
図１に示すように、本実施形態の印刷システムは、印刷端末１００、印刷物監視サーバ（印刷物監視装置）１０１、識別情報検出装置１０２、印刷装置１０３がＵＳＢ、ＲＳ−２３２Ｃ、ネットワーク等を介して通信可能に接続されている。
【００１６】
図２は、図１に示した印刷端末１００、印刷物監視サーバ１０１、識別情報検出装置１０２、印刷装置１０３の機能構成を示すブロック図である。
【００１７】
図２に示すように、印刷端末１００は、識別情報合成部２０２、印刷データ生成部２０３、通信部２０４、印刷設定部２０５等の機能部を有する。なお、印刷端末１００は、パーソナルコンピュータ等の情報処理装置により構成されるものであり、ＣＰＵが外部メモリに記録されたプログラムを読み出して実行することにより、上記機能部２０２〜２０４を実現する。
【００１８】
また、印刷物監視サーバ１０１は、監視情報記憶部２０６、印刷監視部２０７、通信部２０８、放置印刷物通知部２０９等の機能部を有する。なお、印刷物監視サーバ１０１は、パーソナルコンピュータ等の情報処理装置により構成されるものであり、ＣＰＵが外部メモリに記録されたプログラムを読み出して実行することにより、上記機能部２０６〜２０９を実現する。
【００１９】
また、識別情報検出装置１０２は、識別情報読取部２１１、通信部２１２等の機能部を有する。なお、識別情報検出装置１０２は、バーコードリーダ装置により構成されるものである。
【００２０】
また、印刷装置１０３は、印刷部２１４、通信部２１５、印刷完了通知部２１６、印刷保留・開始（立会印刷）部２１７等の機能部を有する。なお、印刷装置１０３は、複合機やネットワークプリンタ等により構成されるものであり、ＣＰＵがＲＯＭに記録されたプログラムを読み出して実行することにより、上記機能部２１４〜２１７を実現する。
【００２１】
以下、図３に示すフローチャートを参照して、本発明の印刷システムにおける印刷設定処理について説明する。
【００２２】
図３は、本発明の印刷システムにおける印刷設定処理の一例を示すフローチャートである。
【００２３】
なお、図中、Ｓ３００〜Ｓ３１０は、印刷端末１００の各機能部により実行される処理を示す。即ち、印刷端末１００のＣＰＵが外部メモリに記録されたプログラムを読み出して実行することにより実現される処理に対応する。
【００２４】
まず、プリンタドライバのプロパティ画面等から、印刷端末１００の入力部（キーボードやポインティングデバイス）より、印刷設定の開始が指示されると、印刷端末１００の印刷設定部２０５は、印刷設定処理を開始する（Ｓ３００）。
【００２５】
まず、ステップＳ３０１において、印刷設定部２０５は、印刷方法設定画面８００（図４）を印刷端末１００のディスプレイに表示し、ステップＳ３０２において、立会印刷、又は、監視印刷の選択を受け付ける。ここで、印刷方法設定画面８００について説明する。
【００２６】
図４は、印刷端末１００のディスプレイに表示される印刷方法設定画面８００の一例を示す図である。
【００２７】
図４において、８０１は立会印刷設定ボタンであり、図３のステップＳ３０１で立会印刷を選択する際に指示する。８０２は、立会印刷が選択された際に一度の操作で印刷できるページ数を指定する立会印刷ページ間隔指定欄である。
【００２８】
通常の印刷では、印刷機にデータが転送された時点で印刷が開始されるのが一般的であるが、「立会印刷」では、データが転送されただけでは自動的に印刷を開始せず、印刷者が印刷機の周辺に移動し、印刷機を操作し印刷を開始する。本実施形態では、一度の操作ですべての印刷を完了する立会印刷と、一定のページ数ごとに操作を要求し、印刷を完了するまで繰り返す立会印刷とを定義している。
【００２９】
８０３は監視印刷設定ボタンであり、図３のステップＳ３０１で監視印刷を選択する際に指示する。本実施形態では、印刷物に対して識別情報の印刷を行い、その識別情報を印刷者が識別情報検出装置により識別情報を読み取らせるまで、印刷物が放置されているものとして、印刷状況を監視し、とり忘れを防止する印刷方法を「監視印刷」と定義している。
【００３０】
８０４はＯＫボタンであり、このボタンが押下されると、印刷方法設定画面８００で設定された内容が確定し、印刷方法設定画面８００が閉じられる。８０５はキャンセルボタンであり、このボタンが押下されると、印刷方法設定画面８００で設定された内容が破棄され、印刷方法設定画面８００が閉じられる。
【００３１】
以下、図３のフローチャートの説明に戻る。
【００３２】
そして、印刷方法設定画面８００でＯＫボタン８０４が押下され、立会印刷、又は、監視印刷の選択が確定すると、印刷設定部２０５は、ステップＳ３０３に処理を進める。なお、印刷方法設定画面８００でキャンセルボタン８０５が押下された場合、図示しないがそのまま本フローチャートの処理を終了する。
【００３３】
ステップＳ３０３では、印刷設定部２０５は、印刷方法として監視印刷が選択されたか否かを判定し、監視印刷が選択されていない（即ち、立会印刷が選択された）と判定した場合には、印刷設定処理を終了し、当該印刷設定処理によりなされた印刷設定を印刷端末１００の外部メモリに格納する。
【００３４】
一方、ステップＳ３０３では、印刷設定部２０５は、印刷方法として監視印刷が選択されたと判定した場合には、ステップＳ３０４に処理をすすめる。
【００３５】
ステップＳ３０４では、印刷設定部２０５は、印刷監視設定画面９００（図５）を印刷端末１００のディスプレイに表示し、識別情報印字位置の設定（Ｓ３０５）、印字レイアウトの設定（Ｓ３０６）、印字面の設定（Ｓ３０７）、識別情報印刷ページの設定（Ｓ３０８）、管理者通知の設定（Ｓ３０９）を受け付ける。なお、Ｓ３０５〜Ｓ３０９は順不同である。ここで、印刷監視設定画面９００について説明する。
【００３６】
図５、図６は、印刷端末１００のディスプレイに表示される印刷監視設定画面９００の一例を示す図である。
【００３７】
図５、図６において、９０１は識別情報である。ここでは、バーコードを例にしているが、識別情報はバーコードに限られるものではなく、記号や数値を印刷したものであってもよい。ユーザは、この識別情報９０１を、カーソルを用いて印刷領域９０２に対して配置することにより、識別情報９０１の印字位置を設定することができる。
【００３８】
９０３は印刷レイアウト設定欄であり、識別情報を設定する対象の印刷レイアウトを縦／横のいずれかに設定するためのものである。なお、この印刷レイアウト設定欄９０３で、レイアウトを「横」として設定した場合、印刷監視設定画面９００は図６の状態に切り替わり、レイアウトを「縦」として設定した場合、印刷監視設定画面９００が図５の状態に切り替わる。
【００３９】
９０４は印刷面設定欄であり、印刷面を表面／裏面のいずれかに設定するためのものである。なお、印刷面設定欄９０４において、識別情報９０１を印刷する専用のページを追加する設定も可能である。
【００４０】
９０５は識別情報印刷ページ設定欄であり、識別情報９０１を印刷するページを、先頭のページ、最後のページ、全てのページのいずれかを設定するためのものである。なお、印刷面設定欄９０４で専用ページを追加する設定を行っている場合には、識別情報９０１を印刷を全てのページに行う設定はできないように制御される。
【００４１】
９０６は権利者通知設定欄であり、管理者への通知を有効にするか無効にするか設定するためのものである。
【００４２】
９０７はＯＫボタンであり、このボタンが押下されると、印刷監視設定画面９００で設定された内容が確定し、印刷監視設定画面９００が閉じられる。９０８はキャンセルボタンであり、このボタンが押下されると、印刷監視設定画面９００で設定された内容が破棄され、印刷監視設定画面９００が閉じられる。
【００４３】
なお、識別情報のレイアウト（向き）を紙の排紙方向に合わせて、印刷設定部２０５が設定制御するように構成してもよい。
【００４４】
以下、図３のフローチャートの説明に戻る。
【００４５】
そして、印刷監視設定画面９００でＯＫボタン９０７が押下され、識別情報印字位置の設定（Ｓ３０５）、印字レイアウトの設定（Ｓ３０６）、印字面の設定（Ｓ３０７）、識別情報印刷ページの設定（Ｓ３０８）、管理者通知の設定（Ｓ３０９）が確定すると、印刷設定部２０５は、当該印刷設定処理によりなされた印刷設定を印刷端末１００の外部メモリに格納し、印刷設定処理を完了する。なお、印刷監視設定画面９００でキャンセルボタン９０８が押下された場合、図示しないがそのまま本フローチャートの処理を終了する。
【００４６】
なお、上述した印刷設定は、管理者等が行って、ユーザが設定できないようにしてもよい。
【００４７】
次に、図７のフローチャートを参照して、本発明の印刷システムにおける印刷処理について説明する。
【００４８】
図７は、本発明の印刷システムにおける印刷処理の一例を示すフローチャートである。
【００４９】
なお、図中、Ｓ４００〜Ｓ４０４及びＳ４１１〜Ｓ４１５は、印刷端末１００の各機能部により実行される処理を示す。即ち、印刷端末１００のＣＰＵが外部メモリに記録されたプログラムを読み出して実行することにより実現される処理に対応する。
【００５０】
また、図中、Ｓ４０５〜Ｓ４０９及びＳ４１６は、印刷装置１０３の各機能部により実行される処理に対応する。即ち、印刷装置１０３のＣＰＵがＲＯＭに記録されたプログラムを読み出して実行することにより実現される処理に対応する。
【００５１】
まず、印刷処理の開始が指示されると、印刷端末１００の印刷データ生成部２０３は、印刷処理を開始する（Ｓ４００）。
【００５２】
まず、ステップＳ４０１において、印刷データ生成部２０３は、印刷設定を印刷端末１００の外部メモリから取得する。ステップＳ４０２において、印刷データ生成部２０３は、上記Ｓ４０１で取得した印刷設定に立会印刷が設定されているか、監視印刷が設定されているか判定する。
【００５３】
そして、上記Ｓ４０２において、印刷設定に立会印刷が設定されていると判定した場合には、印刷データ生成部２０３は、ステップＳ４０３に処理を進める。
【００５４】
ステップＳ４０３では、印刷データ生成部２０３は、立会印刷を開始する。
【００５５】
次に、ステップＳ４０４において、印刷データ生成部２０３は、印刷ジョブを生成し、該生成した立会印刷の印刷ジョブを、通信部２０４を介して印刷装置１０３に送信する。
【００５６】
印刷装置１０３の印刷部２１４は、通信部２１５を介して印刷端末１００からの送信された印刷ジョブを受信すると、該印刷ジョブに含まれる印刷設定を判断し、立会印刷が設定されている（後述する図８に示す印刷者立会印刷設定１３０４が「Ｔｒｕｅ」）と判断すると、印刷保留・開始部２１７に、立会印刷処理を開始させる。
【００５７】
まず、ステップＳ４０５において、印刷保留・開始部２１７は、印刷装置１０３の操作パネルよりユーザによる印刷実行命令が入力されるのを待機する。なお、この印刷実行命令の入力の際に、ユーザ認証を行うように構成してもよい。ユーザ認証方法としては、例えば、ユーザ毎に設けられたＩＣカードを、カードリーダにより読み取らせたり、ユーザＩＤとパスワードを操作パネルから入力させることにより取得したユーザの認証情報に基づいて認証処理を行う。そして、認証処理に成功した場合に、印刷実行命令が入力されたと判定する。また、この認証処理は、Ｓ４０５を実行するたびに毎回行うようにする。これにより、他のユーザにより誤って印刷実行命令がなされ、他のユーザにより印刷物が取得されてしまうことを防止することができる。
【００５８】
そして、上記Ｓ４０５において、ユーザによる印刷実行命令が入力されたと判定した場合には、印刷保留・開始部２１７は、ステップＳ４０６に処理を進める。
【００５９】
ステップＳ４０６では、印刷保留・開始部２１７は、上記受信した印刷ジョブに含まれる立会印刷の設定に一定ページごとに印刷開始を要求する設定がなされているか判定する。
【００６０】
そして、上記Ｓ４０６において、一定ページごとに印刷開始を要求する設定がなされていないと判定した場合には、印刷保留・開始部２１７は、ステップＳ４０７に処理を進める。
【００６１】
ステップＳ４０７では、印刷保留・開始部２１７は、受信した印刷ジョブの全ページを印刷部２１４に印刷させ、印刷処理を完了する。
【００６２】
一方、上記Ｓ４０６において、一定ページごとに印刷開始を要求する設定がなされていると判定した場合には、印刷保留・開始部２１７は、ステップＳ４０８に処理を進める。
【００６３】
ステップＳ４０８では、印刷保留・開始部２１７は、上記受信した印刷ジョブを一定ページ分だけ印刷部２１４に印刷させる。
【００６４】
次に、ステップＳ４０９において、印刷保留・開始部２１７は、受信した印刷ジョブの全ページの印刷を完了したか判定する。
【００６５】
そして、上記Ｓ４０９において、まだ全ページの印刷を完了していないと判定した場合には、印刷保留・開始部２１７は、ステップＳ４０５に処理を戻し、再度、操作パネルよりユーザによる印刷実行命令が入力されるのを待機する。
【００６６】
一方、上記Ｓ４０９において、受信した印刷ジョブの全ページの印刷を完了したと判断した場合には、印刷処理を完了する。
【００６７】
また、上記Ｓ４０２において、印刷端末１００の印刷データ生成部２０３が、印刷設定に監視印刷が設定されていると判定した場合には、ステップＳ４１１に処理を進める。
【００６８】
ステップＳ４１１では、印刷データ生成部２０３は、監視印刷を開始し、ステップＳ４１２において、監視印刷イメージを構築する。
【００６９】
次に、ステップＳ４１３において、印刷データ生成部２０３は、通信部２０４を介して、印刷実行ユーザの情報と識別情報の関連付けた監視情報（後述する図１１に示す印刷物識別情報１４０１、印刷者１４０２、通知先情報１４０３等）を印刷物監視サーバ１０１の監視情報記憶部２０６に後述する図１１に示すように保存する。なお、通知先情報１４０３は、権利者通知設定欄９０６で管理者への通知が有効の場合のみ含まれるものとする。
【００７０】
次に、ステップＳ４１４において、識別情報合成部２０２が、上記Ｓ４１２で構築した印刷イメージに、上記識別情報を合成して、識別情報を含む印刷イメージとして再構築する。即ち、ここで再構築された印刷イメージには、図５、図６に示した印刷監視設定画面９００での設定に基づいて識別情報が合成されている。
【００７１】
次に、ステップＳ４１５において、印刷データ生成部２０３は、上記Ｓ４１４で再構築された印刷イメージを含む印刷ジョブを構築し、該印刷ジョブを、通信部２０４を介して印刷装置１０３に送信する。ここで印刷ジョブについて説明する。
【００７２】
図８は、図７のステップＳ４１５で印刷装置１０３に送信される印刷ジョブの一例を示した図である。
【００７３】
図８に示すように、印刷ジョブには、印刷ＩＤ１３０１、印刷物識別情報１３０２、印刷者１３０３、印刷者立会印刷設定１３０４、ＰＤＬ１３０５、印刷イメージ１３０６等が含まれる。
【００７４】
なお、印刷物識別情報１３０２は、図７のＳ４１４で合成された識別情報に対応する。また、印刷者立会印刷設定１３０４は、立会印刷設定の有無を示すものであり、「Ｔｒｕｅ」の場合には「立会印刷」の設定がなされていることを示し、「Ｆａｌｓｅ」の場合には「監視印刷」の設定がなされていることを示す。
【００７５】
以下、図７のフローチャートの説明に戻る。
【００７６】
印刷装置１０３の印刷部２１４は、通信部２１５を介して印刷端末１００からの送信された印刷ジョブを受信すると、該印刷ジョブに含まれる印刷設定を判断し、監視印刷が設定されている（印刷者立会印刷設定１３０４が「Ｆａｌｓｅ」）と判断すると、ステップＳ４１６において、上記受信した印刷ジョブを印刷する。
【００７７】
次に、上記Ｓ４１６の印刷が完了すると、印刷装置１０３の印刷完了通知部２１６が、ステップＳ４１７において、通信部２１５を介して、印刷完了通知（識別情報、印字実行時刻を含む）を印刷物監視サーバ１０１に送信して、印刷処理を完了する。この印刷完了通知を受けた、印刷物監視サーバ１０１の印刷監視部２０７は、該印刷完了通知内の印字実行時刻を、監視情報記憶部２０６内の対応する前記印刷完了通知内の識別情報が格納されたレコードに記憶する（後述する図１１の印刷実行時刻１４０４）。さらに、印刷物監視サーバ１０１の印刷監視部２０７は、該印刷実行時刻１４０４が記憶された印刷物の識別情報を監視対象の識別情報として後述する図１２に示す印刷物監視処理を実行する。
【００７８】
なお、上記ステップＳ４１６で印刷された印刷物には、図５、図６に示した印刷監視設定画面９００での設定に基づいて識別情報（例えばバーコード）が印字されている。ユーザは、この識別情報が印字された印刷物を図９に示すように識別情報検出装置１０２にかざして読み取らせる。なお、この際、ユーザ認証を行わせて、印刷物の印刷者と、認証されたユーザが異なる場合には警告（警告音の出力や警告画面の表示）を行うように構成してもよい。また、ユーザ認証方法については、上述の図７のＳ４０５で説明したものと同様とする。また、印刷物が出力されて一定時間を経過した場合にのみ、ユーザ認証を行うように構成してもよい。
【００７９】
図９は、印刷装置１０３で印刷された印刷物が印刷者により（物理的に取得され）識別情報検出装置１０２にかざされて印刷物に印刷された識別情報が識別情報検出装置１０２で読み取られる様子を示す図である。
【００８０】
図９に示すように、印刷装置１０３の印刷トレイ１０３Ｔに排出された印刷物７００を、印刷者が手に取り（物理的に取得し）、該印刷物７００の識別情報（バーコード等）７００が印刷された部分を、識別情報検出装置１０２の識別情報読取部２１１にかざすと、識別情報検出装置１０２の識別情報読取部２１１は、上記印刷物７００から識別情報（バーコード等）７０１を読み取る。
【００８１】
そして、識別情報検出装置１０２の識別情報読取部２１１は、上記読み取った識別情報を、通信部２１２を介して印刷物監視サーバ１０１に通知する。これにより、図１０に示す印刷物取得関連処理が開始される。
【００８２】
図１０は、本発明の印刷システムにおける印刷物取得関連処理の一例を示すフローチャートである。
【００８３】
なお、図中、Ｓ５０１〜Ｓ５０６は、印刷物監視サーバ１０１の各機能部により実行される処理を示す。即ち、印刷物監視サーバ１０１のＣＰＵが外部メモリに記録されたプログラムを読み出して実行することにより実現される処理に対応する。
【００８４】
まず、印刷物監視サーバ１０１の印刷監視部２０７は、通信部２０８を介して、識別情報検出装置１０２からの通知があると、印刷物取得関連処理を開始する（Ｓ５０１）。
【００８５】
まず、ステップＳ５０２において、印刷監視部２０７は、識別情報検出装置１０２から通知された識別情報を受け取る。
【００８６】
次に、印刷監視部２０７は、Ｓ５０２で受け取った識別情報を解析し、該識別情報に該当するデータが監視情報記憶部２０６に記憶されているか判定する。ここで、監視情報記憶部２０６に記憶される情報について説明する。
【００８７】
図１１は、図２に示した印刷物監視サーバ１０１の監視情報記憶部２０６に記憶されるデータテーブルを説明する図である。
【００８８】
図１１に示すように、監視情報記憶部２０６には、印刷物識別情報１４０１、印刷者１４０２、通知先情報１４０３、印刷実行時刻１４０４、通知回数１４０５、前回通知時刻１４０６、文書名１４０７、サイズ１４０８等の情報が記憶されている。
【００８９】
印刷物識別情報１４０１は、図７のステップＳ４１４で再構築された印刷イメージに合成された識別情報に割り当てられた値である。
【００９０】
印刷者１４０２は、印刷を実行した印刷者を特定する情報である。通知先情報１４０３は、印刷者に通知を行うための通知先、例えば、メールアドレスや、印刷者の使用する印刷端末１００のＩＰアドレス等を示す。なお、通知先情報１４０３は、図５に示した権利者通知設定欄９０６で管理者への通知が有効に設定された場合に格納される。
【００９１】
印刷実行時刻１４０４は、印刷装置１０３で実際に印刷実行された時刻を示し、印刷装置１０３から通知される。通知回数１４０５は、後述する放置印刷物通知を行った回数を示す。
【００９２】
文書名１４０７は、印刷文書の文書名を示す。サイズ１４０８は印刷文書のデータサイズを示す。
【００９３】
以下、図１０のフローチャートの説明に戻る。
【００９４】
上記Ｓ５０３において、上記Ｓ５０２で受け取った識別情報に該当するデータが監視情報記憶部２０６に記憶されていると判定した場合には、印刷監視部２０７は、上記Ｓ５０２で受け取った識別情報に該当するデータを監視情報記憶部２０６のデータテーブル（図１１）から削除し、確認処理を完了する（Ｓ５０６）。
【００９５】
一方、上記Ｓ５０３において、上記Ｓ５０２で受け取った識別情報に該当するデータが監視情報記憶部２０６に記憶されていないと判定した場合には、印刷監視部２０７は、ステップＳ５０４において、エラーのメッセージを予め設定された管理者の通知先（例えばメールアドレス）に通知し、確認処理を完了する（Ｓ５０６）。
【００９６】
以下、図１２を参照して、本発明の印刷システムにおける印刷物監視処理について説明する。
【００９７】
図１２は、本発明の印刷システムにおける印刷物監視処理の一例を示すフローチャートである。
【００９８】
なお、図中、Ｓ６０１〜Ｓ６１１は、印刷物監視サーバ１０１の各機能部により実行される処理を示す。即ち、印刷物監視サーバ１０１のＣＰＵが外部メモリに記録されたプログラムを読み出して実行することにより実現される処理に対応する。
【００９９】
上述したように、印刷物監視サーバ１０１の印刷監視部２０７は、印刷装置１０３から印刷完了通知を受け、該印刷完了通知内の印刷実行時刻を、該当する監視情報記憶部２０６内のレコードの印刷実行時刻１４０４に格納する。これにより、印刷監視部２０７は、該印刷実行時刻１４０４が記憶された印刷物の識別情報を監視対象の識別情報として印刷物監視処理を開始する（Ｓ６０１）。
【０１００】
まず、ステップＳ６０２において、印刷監視部２０７は、監視対象となっている印刷物の識別情報を含むレコードのデータを監視情報記憶部２０６より取得する。
【０１０１】
次に、ステップＳ６０３において、印刷監視部２０７は、上記Ｓ６０２で取得したデータ内の前回通知時刻１４０６（前回通知時刻１４０６に値が格納されていない場合は印刷実行時刻１４０４）からの経過時間を取得する（算出する）。
【０１０２】
次に、ステップＳ６０４において、印刷監視部２０７は、上記Ｓ６０３で取得した経過時間が一定時間（後述する図１３に示す印刷物監視処理設定データ内の通知間隔１５０１）を経過しているか否かを判定する。ここで、図１３を用いて印刷物監視処理設定データについて説明する。
【０１０３】
図１３は、印刷物監視処理設定データを説明する図である。
【０１０４】
図１３に示すうように、印刷物監視処理設定データは、通知間隔１５０１、通知回数１５０２、監視対象削除設定１５０３、管理者通知設定１５０４、管理者通知先情報１５０５（、立会印刷ページ間隔１５０６）等を含む。
【０１０５】
通知間隔１５０１は、通知を行う時間間隔を示す。一定時間（後述する図１３に示す印刷物監視処理設定データ内の通知間隔１５０１×（通知回数１４０５＋１））を経過しているか否かを判定する。
【０１０６】
通知回数１５０２は、通知を行う回数を示す。なお、通知回数１５０２が「０」の場合、取得が完了するまで無制限に通知を行うものとする。
【０１０７】
監視対象削除設定１５０３は、通知回数１５０２を超えた印刷処理に対して削除を行うか否かの設定を示す。管理者通知設定１５０４は、管理者に通知を行うか否かを示す。
【０１０８】
管理者通知先情報１５０５は、管理者通知設定１５０４に管理者に通知を行う設定がなされている場合、管理者への通知先を示す。通知先としては、例えば、メールアドレスや、管理者の使用する印刷端末１００のＩＰアドレス等を示す。
【０１０９】
なお、印刷物監視処理設定データに、立会印刷ページ間隔１５０６を設け、該立会印刷ページ間隔１５０６に設定された値を、図４の立会印刷ページ間隔指定欄８０２の設定の代わりに用いるように構成してもよい。
【０１１０】
以上示した印刷物監視処理設定データは、予め管理者等により設定され、印刷物監視サーバ１０１の外部メモリに記憶されるものとする。
【０１１１】
以下、図１２のフローチャートの説明に戻る。
【０１１２】
そして、上記ステップＳ６０４において、印刷監視部２０７は、上記Ｓ６０３で取得した経過時間が未だ一定時間（通知間隔１５０１）を経過していないと判定した場合には、印刷監視部２０７は、ステップＳ６０２に処理を戻し、監視を継続する。
【０１１３】
一方、上記ステップＳ６０４において、印刷監視部２０７は、上記Ｓ６０３で取得した経過時間が既に一定時間（通知間隔１５０１）を経過していると判定した場合には、印刷監視部２０７は、ステップＳ６０５に処理を進める。
【０１１４】
ステップＳ６０５では、印刷監視部２０７は、通知を規定回数以上行ったか否かを判定する。即ち、印刷監視部２０７は、上記Ｓ６０２で取得したデータ内の通知回数１４０５が通知回数１５０２に達したか否かを判定する。
【０１１５】
そして、上記ステップＳ６０５において、未だ通知を規定回数以上行っていない（通知回数１４０５が通知回数１５０２に達していない）と判定した場合には、ステップＳ６０６に処理を進める。なお、図示しないが、通知回数１４０５が「−１」の場合には、ステップＳ６０９に処理を進めるものとする。なお、後述するが、通知回数１４０５が「−１」の場合、監視停止を示す。
【０１１６】
ステップＳ６０６では、印刷監視部２０７は、放置印刷物通知部２０９に、印刷者の通知先（上記Ｓ６０２で取得したデータ内の通知先情報１４０３）への放置印刷物通知を実行させ、ステップＳ６０２に処理を戻して監視を継続する。ここで、放置印刷物通知について説明する。
【０１１７】
放置印刷物通知部２０９は、図１４に示す放置印刷物通知（印刷物未取得の通知）画面１１００のリンク情報を含む電子メールを通知先情報１４０３に対応する電子メールアドレスに送信するとともに、対応する通知回数１４０５をインクリメントする。
【０１１８】
図１４は、放置印刷物通知（印刷物未取得の通知）画面の一例を示す図である。なお、図１２のＳ６０１〜Ｓ６０６に示したように、印刷実行者が一定の時間以上、印刷物を放置した場合、印刷実行者の印刷端末１００上に放置印刷物通知画面１１００が表示される。
【０１１９】
上述のように電子メールにより放置印刷物通知が行われる場合は、電子メール内のリンク情報をユーザが指示することにより、印刷物監視サーバ１０１の放置印刷物通知部２０９から放置印刷物通知画面１１００が印刷端末１００に送信されて表示されることとなる。
【０１２０】
放置印刷物通知には、１１０１〜１１０３に示すような印刷物の属性情報が表示される。
【０１２１】
１１０１は文書名であり、文書名１４０７に対応する情報が記載される。１１０２は印刷日時であり、印刷実行時刻１４０４に対応する情報が記載される。１１０３はサイズであり、サイズ１４０８に対応する情報が記載される。
【０１２２】
１１０４は監視対象から除外ボタンであり、このボタンが指示されると、印刷物監視サーバ１０１の放置印刷物通知部２０９は、図１５に示す印刷物監視停止画面１２０１を印刷端末１００に送信して表示させる。
【０１２３】
１１０５はＯＫボタンであり、このボタンを指示されると、放置印刷物通知画面１１００が閉じられ、印刷物の監視は継続される。
【０１２４】
図１５は、印刷物監視停止画面１２０１の一例を示す図である。
【０１２５】
印刷物監視停止画面１２０１には、１２０１〜１２０３に示すような印刷物の属性情報が表示される。
【０１２６】
１２０４はＯＫボタンであり、このボタンを指示することにより、印刷物の監視を停止することができる。このＯＫボタン１２０４が指示されると、その旨と対応する識別情報が、印刷端末１００から印刷物監視サーバ１０１に通知され、監視情報記憶部２０６の対応するレコードの通知回数１４０５に「−１」が記憶される。
【０１２７】
１２０５はキャンセルボタンであり、このボタンを指示されると、印刷物監視停止画面１２０１が閉じられ、印刷物の監視は継続される。
【０１２８】
以下、図１２のフローチャートの説明に戻る。
【０１２９】
一方、そして、上記ステップＳ６０５において、既に通知を規定回数以上行った（通知回数１４０５が通知回数１５０２に達した）と判定した場合には、ステップＳ６０７に処理を進める。
【０１３０】
ステップＳ６０７では、印刷監視部２０７は、印刷管理者に通知を行うか否かを判定する。即ち、印刷監視部２０７は、管理者通知設定１５０４が管理者に通知を行う設定であるか行わない設定であるか判定する。
【０１３１】
そして、上記ステップＳ６０７において、印刷管理者に通知を行うと判定した場合には、印刷監視部２０７は、放置印刷物通知部２０９に、管理者の通知先（管理者通知先情報１５０５）への放置印刷物通知を実行させ、ステップＳ６０２に処理を戻し、監視を継続する。
【０１３２】
一方、上記ステップＳ６０７において、印刷管理者に通知を行わないと判定した場合には、印刷監視部２０７は、ステップＳ６０９に処理を進める。
【０１３３】
ステップＳ６０９では、印刷監視部２０７は、監視対象の識別情報を監視対照から除外するか否かを判定する。即ち、印刷監視部２０７は、上記Ｓ６０２で取得したデータ内の通知回数１４０５が「−１」か否かを判定する。
【０１３４】
そして、上記ステップＳ６０９において、監視対象の識別情報を監視対照から除外しない（通知回数１４０５が「−１」でない）と判断した場合には、印刷監視部２０７は、ステップＳ６０２に処理を戻し、監視を継続する。
【０１３５】
一方、上記ステップＳ６０９において、監視対象の識別情報を監視対照から除外する（通知回数１４０５が「−１」である）と判断した場合には、印刷監視部２０７は、ステップＳ６１０に処理を進める。
【０１３６】
ステップＳ６１０では、印刷監視部２０７は、監視対象となっている印刷物の識別情報を含むレコードを監視情報記憶部２０６から削除し、印刷物監視処理を完了する。
【０１３７】
なお、印刷物監視サーバ１０１の機能を、印刷装置１０３に備えるように構成してもよい。例えば、印刷装置１０３に識別情報検出装置１０２が接続されており、さらに、印刷装置１０３が印刷物監視サーバ１０１の機能（監視情報記憶部２０６、印刷監視部２０７、放置印刷物通知部２０９）を含む構成であってもよい。
【０１３８】
また、識別情報検出装置１０２が、印刷物監視サーバ１０１の機能や印刷装置１０３に直接接続されていてもよい。
【０１３９】
さらに、識別情報検出装置１０２が、居室のドアに連動しており、印刷物を持ち出す際には、印刷物の識別情報を識別情報検出装置１０２に読み取らせ、さらに、上述のようなユーザ認証を行い、印刷物の印刷者と、認証されたユーザが異なる場合には、ドアをロック状態とするように構成してもよい。
【０１４０】
なお、立会印刷と監視印刷とを組み合わせた構成であってもよい。即ち、監視印刷の際も、一定枚数毎に、識別情報検出装置により、識別情報を読み取らせることにより、次の一定枚数の印刷を開始するように構成してもよい。
【０１４１】
また、上記実施形態では、図７のＳ４１３において、印刷端末１００が、監視情報（図１１に示す印刷物識別情報１４０１、印刷者１４０２、通知先情報１４０３等の識別情報とユーザ情報を関連付けた情報）を印刷物監視サーバ１０１に送信する構成について説明した。しかし、図７のＳ４１３において、印刷端末１００が、前記監視情報を印刷装置１０３に送信し、図７のＳ４１７において、印刷装置１０３が印刷完了通知として前記監視情報を含む情報を印刷物監視サーバ１０１に送信するように構成してもよい。
【０１４２】
以上説明したように、本実施形態によれば、排紙トレイに印刷物が放置されていることを確実に印刷者に通知することができる。結果として、印刷物が長時間放置されることによるセキュリティリスクを軽減することができる。
【０１４３】
なお、上述した各種データの構成及びその内容はこれに限定されるものではなく、用途や目的に応じて、様々な構成や内容で構成されることは言うまでもない。
【０１４４】
以上、一実施形態について示したが、本発明は、例えば、システム、装置、方法、プログラムもしくは記録媒体等としての実施態様をとることが可能であり、具体的には、複数の機器から構成されるシステムに適用しても良いし、また、一つの機器からなる装置に適用しても良い。
【０１４５】
以下、図１６に示すメモリマップを参照して、本発明に係る印刷システムを構成する印刷端末１００、印刷物監視サーバ１０１、印刷装置１０３として、コンピュータを機能させるためのプログラムを記録したコンピュータ読み取り可能な記録媒体（記憶媒体）について説明する。
【０１４６】
図１６は、本発明に係る印刷システムを構成する印刷端末１００、印刷物監視サーバ１０１、印刷装置１０３として、コンピュータを機能させるためのプログラムを記録したコンピュータ読み取り可能な記録媒体（記憶媒体）のメモリマップを説明する図である。
【０１４７】
なお、特に図示しないが、記録媒体に記憶されるプログラム群を管理する情報、例えばバージョン情報，作成者等も記憶され、かつ、プログラム読み出し側のＯＳ等に依存する情報、例えばプログラムを識別表示するアイコン等も記憶される場合もある。
【０１４８】
さらに、各種プログラムに従属するデータも上記ディレクトリに管理されている。また、インストールするプログラムやデータが圧縮されている場合に、解凍するプログラム等も記憶される場合もある。
【０１４９】
本実施形態における図３，図７，図１０，図１２に示す機能が外部からインストールされるプログラムによって、ホストコンピュータにより遂行されていてもよい。そして、その場合、ＣＤ−ＲＯＭやフラッシュメモリやＦＤ等の記録媒体により、あるいはネットワークを介して外部の記録媒体から、プログラムを含む情報群を出力装置に供給される場合でも本発明は適用されるものである。
【０１５０】
以上のように、前述した実施形態の機能を実現するソフトウエアのプログラムコードを記録した記録媒体を、システムあるいは装置に供給し、そのシステムあるいは装置のコンピュータ（またはＣＰＵやＭＰＵ）が記録媒体に格納されたプログラムコードを読出し実行することによっても、本発明の目的が達成されることは言うまでもない。
【０１５１】
この場合、記録媒体から読み出されたプログラムコード自体が本発明の新規な機能を実現することになり、そのプログラムコードを記憶した記録媒体は本発明を構成することになる。
【０１５２】
プログラムコードを供給するための記録媒体としては、例えば、フレキシブルディスク，ハードディスク，光ディスク，光磁気ディスク，ＣＤ−ＲＯＭ，ＣＤ−Ｒ，ＤＶＤ−ＲＯＭ，磁気テープ，不揮発性のメモリカード，ＲＯＭ，ＥＥＰＲＯＭ，シリコンディスク等を用いることができる。
【０１５３】
また、コンピュータが読み出したプログラムコードを実行することにより、前述した実施形態の機能が実現されるだけでなく、そのプログラムコードの指示に基づき、コンピュータ上で稼働しているＯＳ（オペレーティングシステム）等が実際の処理の一部または全部を行い、その処理によって前述した実施形態の機能が実現される場合も含まれることは言うまでもない。
【０１５４】
さらに、記録媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【０１５５】
また、本発明は、複数の機器から構成されるシステムに適用しても、１つの機器からなる装置に適用してもよい。また、本発明は、システムあるいは装置にプログラムを供給することによって達成される場合にも適応できることは言うまでもない。この場合、本発明を達成するためのソフトウエアによって表されるプログラムを格納した記録媒体を該システムあるいは装置に読み出すことによって、そのシステムあるいは装置が、本発明の効果を享受することが可能となる。
【０１５６】
さらに、本発明を達成するためのソフトウェアによって表されるプログラムをネットワーク上のサーバ，データベース等から通信プログラムによりダウンロードして読み出すことによって、そのシステムあるいは装置が、本発明の効果を享受することが可能となる。
【０１５７】
なお、上述した各実施形態およびその変形例を組み合わせた構成も全て本発明に含まれるものである。
【図面の簡単な説明】
【０１５８】
【図１】本発明の一実施形態を示す印刷システムの構成を示すシステム構成図である。
【図２】図１に示した印刷端末１００、印刷物監視サーバ１０１、識別情報検出装置１０２、印刷装置１０３の機能構成を示すブロック図である。
【図３】本発明の印刷システムにおける印刷設定処理の一例を示すフローチャートである。
【図４】印刷端末１００のディスプレイに表示される印刷方法設定画面８００の一例を示す図である。
【図５】印刷端末１００のディスプレイに表示される印刷監視設定画面９００の一例を示す図である。
【図６】印刷端末１００のディスプレイに表示される印刷監視設定画面９００の一例を示す図である。
【図７】本発明の印刷システムにおける印刷処理の一例を示すフローチャートである。
【図８】図７のステップＳ４１５で印刷装置１０３に送信される印刷ジョブの一例を示した図である。
【図９】印刷装置１０３で印刷された印刷物が印刷者により（物理的に取得され）識別情報検出装置１０２にかざされて印刷物に印刷された識別情報が識別情報検出装置１０２で読み取られる様子を示す図である。
【図１０】本発明の印刷システムにおける印刷物取得関連処理の一例を示すフローチャートである。
【図１１】図２に示した印刷物監視サーバ１０１の監視情報記憶部２０６に記憶されるデータテーブルを説明する図である。
【図１２】本発明の印刷システムにおける印刷物監視処理の一例を示すフローチャートである。
【図１３】印刷物監視処理設定データを説明する図である。
【図１４】放置印刷物通知（印刷物未取得の通知）画面の一例を示す図である。
【図１５】印刷物監視停止画面１２０１の一例を示す図である。
【図１６】本発明に係る印刷システムを構成する印刷端末１００、印刷物監視サーバ１０１、印刷装置１０３として、コンピュータを機能させるためのプログラムを記録したコンピュータ読み取り可能な記録媒体（記憶媒体）のメモリマップを説明する図である。
【符号の説明】
【０１５９】
１００    印刷端末
１０１    識別情報管理／印刷物監視サーバ
１０２    識別情報検出装置
１０３    印刷装置
２０２    識別情報合成部
２０３    印刷データ生成部
２０４    通信部
２０５    印刷設定部
２０６    識別情報記憶部
２０７    印刷監視部
２０８    通信部
２０９    放置印刷物通知部
２１１    識別情報読取部
２１２    通信部
２１４    印刷部
２１５    通信部
２１６    印刷完了通知部
２１７    印刷保留・開始（立会印刷）部
【図１】
2010146265.tif 000003
【図２】
2010146265.tif 000004
【図３】
2010146265.tif 000005
【図４】
2010146265.tif 000006
【図５】
2010146265.tif 000007
【図６】
2010146265.tif 000008
【図７】
2010146265.tif 000009
【図８】
2010146265.tif 000010
【図９】
2010146265.tif 000011
【図１０】
2010146265.tif 000012
【図１１】
2010146265.tif 000013
【図１２】
2010146265.tif 000014
【図１３】
2010146265.tif 000015
【図１４】
2010146265.tif 000016
【図１５】
2010146265.tif 000017
【図１６】
2010146265.tif 000018